(57)【要約】【課題】アナログ出力を得るＯＳＤ信号処理回路を有効に活用して、デジタル表示装置のオンスクリーンディスプレイを実現し、しかも動作及び信号の安定性を得る。【解決手段】アナログのオンスクリーンディスプレイ（ＯＳＤ）信号を電流出力するＯＳＤ信号発生回路と、前記ＯＳＤ信号発生回路の出力端子に一端が接続され他端が接地電位端に接続された抵抗とを有する。前記ＯＳＤ信号発生回路の出力端子が入力端子に接続されるアナログデジタル変換器では、その入力端子に入力する信号のサンプリング上限電圧を電源電圧により設定し、サンプリング下限電圧を前記接地電位としている。【選択図】      図１
2005341400.tif 000002
【特許請求の範囲】
【請求項１】
オンスクリーンディスプレイ（ＯＳＤ）信号をアナログの電流信号で出力するＯＳＤ信号発生回路と、
前記ＯＳＤ信号発生回路の出力端子に一端が接続され他端が接地電位端に接続された電流電圧変換素子と、
前記ＯＳＤ信号発生回路の出力端子が入力端子に接続され、この入力端子に入力する電圧信号のサンプリング上限電圧を電源電圧により設定し、サンプリング下限電圧を前記接地電位とした量子化部と、
を具備したことを特徴とするオンスクリーン表示信号処理装置。
【請求項２】
前記量子化部の出力データは、デジタル映像信号と合成するためにブレンド回路に供給されることを特徴とする請求項１記載のオンスクリーン表示信号処理装置。
【請求項３】
前記量子化部は、Ｒ（赤）、緑（Ｇ），青（Ｂ）信号をそれぞれデジタル変換する３つの量子化部であり、前記ブレンド回路もＲ（赤）、緑（Ｇ），青（Ｂ）信号に対応する３つのブレンド回路であることを特徴とする請求項２記載のオンスクリーン表示信号処理装置。
【請求項４】
前記ブレンド回路の出力は、デジタル入力のカラー用フラットパネル表示装置に供給されることを特徴とする請求項３記載のオンスクリーン表示信号処理装置。
【請求項５】
前記ブレンド回路は、前記フラットパネル表示装置内の基板に搭載されていることを特徴とする請求項４記載のオンスクリーン表示信号処理装置。
【請求項６】
前記ブレンド回路と前記量子化部との間にはスイッチが設けられており、このスイッチは、前記ＯＳＤ信号発生回路とは別のデジタルＯＳＤ信号発生回路の出力を選択可能であることを特徴とする請求項２記載のオンスクリーン表示信号処理装置。
【請求項７】
デジタル映像信号とオンスクリーンディスプレイ（ＯＳＤ）信号を合成するブレンド回路を有したテレビジョン受信装置において、  オンスクリーンディスプレイ（ＯＳＤ）信号をアナログの電流信号で出力するＯＳＤ信号発生回路と、
前記ＯＳＤ信号発生回路の出力端子に一端が接続され他端が接地電位端に接続された電流電圧変換素子と、
前記ＯＳＤ信号発生回路の出力端子が入力端子に接続され、この入力端子に入力する電圧信号のサンプリング上限電圧を電源電圧により設定し、サンプリング下限電圧を前記接地電位とした量子化部と、
を具備したことを特徴とするテレビジョン受信装置。
【請求項８】
前記ブレンド回路と前記量子化部との間にはスイッチが設けられており、このスイッチは、前記ＯＳＤ信号発生回路とは別のデジタルＯＳＤ信号発生回路の出力を選択可能であることを特徴とする請求項７記載のテレビジョン受信装置。
【発明の詳細な説明】
【技術分野】
【０００１】
この発明は、液晶表示パネル、プラズマディスプレイパネル（ＰＤＰ）等のデジタル表示装置を利用するテレビジョンセットに有効なオンスクリーン表示信号処理装置に関する。
【背景技術】
【０００２】
テレビジョンセットには、オンスクリーン表示（ＯＳＤ）信号処理回路が設けられている。このＯＳＤ信号処理回路は、モード切替、チャンネル切替時などに、表示するための所定の文字や図形データを、予めメモリに保存している。そして、アナログテレビジョンセットの場合、所定の文字や図形データをＤＡ（デジタルアナログ）変換して、映像信号合成回路に供給している。
【０００３】
一方、最近では、液晶表示パネル、プラズマディスプレイパネル（ＰＤＰ）等のフラットデジタル表示装置を含むテレビジョンセットが普及している。このテレビジョンセットの場合、フラットデジタル表示装置に供給するためのＯＳＤ信号を得るために、独自のＯＳＤ信号処理回路を開発している。
【特許文献１】特開平１０−０３１４５４
【特許文献２】特開２００１−３４３９６４
【発明の開示】
【発明が解決しようとする課題】
【０００４】
今後は、液晶表示パネル、プラズマディスプレイパネル（ＰＤＰ）等のデジタル表示装置を含むテレビジョンセットが主流となってくる。このような中で、デジタル用として再度独自のＯＳＤ信号処理回路を新たに開発すると、テレビジョンセットの価格が大変高価になってしまう。また従来のアナログ出力を得るＯＳＤ信号処理回路の使い道が途絶えてしまい、資源の無駄が生じる。
【０００５】
ＯＳＤ信号発生回路としては、従前より種々、開発されまた製造されており、発生信号としてもチャン番号表示用、メニュー画面表示用等がある。これらを再度、デジタル用として新たに製造しなおすことになると多大なコストと時間を要することになる。
【０００６】
そこでこの発明の目的は、アナログ出力を得るＯＳＤ信号処理回路を有効に活用して、デジタル表示装置のオンスクリーンディスプレイを実現し、しかも動作及び信号の安定性を得るように工夫したオンスクリーン表示信号処理装置を提供するものである。
【課題を解決するための手段】
【０００７】
上記の目的を達成するために、この発明の一実施の形態ではアナログのオンスクリーンディスプレイ（ＯＳＤ）信号を電流出力するＯＳＤ信号発生回路と、前記ＯＳＤ信号発生回路の出力端子に一端が接続され他端が接地電位端に接続された抵抗と、前記ＯＳＤ信号発生回路の出力端子が入力端子に接続され、この入力端子に入力する信号のサンプリング上限電圧を電源電圧により設定し、サンプリング下限電圧を前記接地電位としたアナログデジタル変換器とを有する。
【発明の効果】
【０００８】
上記の手段によると、ＯＳＤ信号発生回路の下限電位と、アナログデジタル変換器のサンプリング下限電位が一致するために、ＯＳＤ信号発生回路の出力端子とアナログデジタル変換器の入力端子とを直接接続することができる。このために、両回路間に変動要因を与えるような素子、カップリングコンデンサなどを設ける必要がなく、安定した動作を得ることができる。
【発明を実施するための最良の形態】
【０００９】
以下、この発明の実施の形態を図面を参照して説明する。
【００１０】
図１には、この発明が適用されたテレビジョン受信装置１００の概略ブロック構成を示している。アンテナ１０１から導かれた受信電波は、端子１０２を介して受信部１０３に導入される。受信部１０３で選択された信号はセレクタ１０４を介して信号処理部１１１に入力される。ここでの処理は、ストリームからのパケット抽出、パケット分離、復号などを含む。またハードディスク装置１１２が設けられている場合、記録媒体に記録するためのフォーマット化処理も含む。
【００１１】
上記のセレクタ１０４は、端子１０６及びインターフェース１０６を介して入力した外部信号の選択を行うこともできる。またさらにセレクタ１０４は、端子１０７及びインターフェース１０８を介して入力した外部信号の選択を行うこともできる。端子１０５あるいは１０７には、外部からのライン入力、あるいは例えば、ビデオ再生機器（例えばデジタルビデオディスクプレーヤ、ビデオテープレコーダ等）からの出力が入力される。さらには、他のデジタルチューナ、或はパーソナルコンピュータからのデジタルビデオ信号を供給することができる。
【００１２】
上記の信号処理部１１１から分離された音声信号は、音声信号処理部１１３に導かれ、増幅、及びＡＤ変換処理等が行われ、出力端子１１４に出力される。この出力端子１１４には、スピーカシステム３００が接続されている。
【００１３】
また信号処理部１１１からの映像信号は、映像信号処理部１２５に導かれる。ここでは、デコード処理、輝度、色信号処理、等が行われる。映像信号処理部１２５の出力映像信号は、合成回路１２６を介してブレンド回路１２７に入力される。合成回路１２６では、例えば信号処理部１１１からの副映像信号、あるはテキストデータ信号と映像信号との合成が行われる。
【００１４】
合成回路１２６から出力されるデジタル映像信号には、ブレンド回路１２７において、後述するオンスクリーンディスプレイ（ＯＳＤ）信号を合成することが可能である。ＯＳＤ信号は、ＯＳＤ信号発生回路１３１でアナログ信号状態で発生され、アナログデジタル変換部１３２において、デジタルＯＳＤ信号に変換される。そしてこのデジタルＯＳＤ信号が、先のブレンド回路１２７に入力される。ブレンド回路１２７から出力されたデジタル映像信号は、出力端子１２８を介してフラットパネルディスプレイ２００に供給される。
【００１５】
制御部１５０は、ＯＳＤ信号発生回路１３１から読み出すデータ内容を決定するための制御信号を出力している。制御部１５０に対しては、操作部及びリモコン受信部１５１からの操作信号が供給される。操作部及びリモコン受信部１５１は、リモートコントローラ１５２からの送信信号を受けて、操作信号を出力している。
【００１６】
操作信号を受けとる制御部１５０は、テレビジョン受信機の電源投入時には、例えば最初に受信しているチャンネル番号、音量状態などを表示するためのディスプレイ信号が、出力されるように、ＯＳＤ信号発生回路１３１の読出しアドレスを制御する。また、制御部１５０は、受信部１０３、セレクタ１０４、信号処理部１１１、映像信号処理部１２５、その他に対する制御信号を発生する。番組選択時には、受信部１０３のチャンネル選択状態及び番組選択状態を制御する。制御部１５０により、映像信号処理部１２５を制御して画質制御を行い、また音声信号処理部１１３を制御して音量制御などを行うことができる。さらにまたセレクタ１０４を制御し、外部からの信号の選択状態を決定することもできる。このような各種の操作状態に応じて、ＯＳＤ信号発生回路１３１からは、ユーザが画面上で操作状態を認識しやすいように、ガイド用のＯＳＤ表示信号を出力することができる。
【００１７】
以下、図２を参照して、ブレンド回路１２７、及びＡＤ変換部１３２、制御部１５０の部分を取り出してさらに詳しく説明する。
【００１８】
図２において、先の合成回路１２６から出力されたデジタル映像信号は、ブレンド回路１２７に入力される。ブレンド回路１２７は、ＯＳＤ信号と入力デジタル映像信号を合成する部分であり、例えば、文献１に示したような回路である。
【００１９】
ブレンド回路１２７から出力された映像信号は、端子１２８を介して導出され、フラットパネルディスプレイ２００に供給されて表示される。フラットパネルディスプレイ２００は、液晶表示パネル、プラズマディスプレイパネル（ＰＤＰ）等のデジタル表示装置である。
【００２０】
ＯＳＤ（オンスクリーンディスプレイ）信号発生回路１３１は、アナログのＯＳＤ信号を得る。このＯＳＤ信号は、電流出力であり、電流―電圧変換されて、ＡＤ変換部１３２内の量子化部器３２０の入力部に直接供給される。つまり、ＯＳＤ信号発路１３１の出力端子と接地電位との間には、電流電圧変換素子としての抵抗４０が接続されており、電流出力されたＯＳＤ信号が、抵抗４０において、電圧変換される。
【００２１】
さらに、量子化部３２０の量子化下限電圧（Ｖ２）入力部３２２は、抵抗４０の接地電位側と同じ接地電位に接続されている。また量子化部３２０の量子化上限電圧（Ｖ１）入力部３２１は、電源３３３で決まる電位に設定されている。
【００２２】
上記の構成であると、ＯＳＤ信号発生回路１３１の下限電位と、量子化部３２０のサンプリング下限電位が一致するために、ＯＳＤ信号発生回路１３１の出力端子と量子化部３２０の入力部とを直接接続することができる。このために、両回路間に変動要因を与えるような素子、カップリングコンデンサなどを設ける必要がない。
【００２３】
仮に、ＯＳＤ信号発生回路１３１の下限電位と、量子化部３２０のサンプリング下限電位が一致しない場合、相互の整合を行うために、相互間に直流カットを行うカップリングコンデンサ及びクランプ回路等を必要とする。すると、これらの結合回路は、時定数等の変動要因含むようになり、経時変化、温度ドリフトなどにより、変動を伴い、安定性動作を損なうという問題を有する。
【００２４】
これに対して、上記した本発明の回路であると、ＯＳＤ信号発生回路１３１の出力端子とアナログデジタル変換部１３２の入力部とを直接接続できる。そして、量子化下限電位は、接地電位により上記のような変動要因を吸収できるのである。また量子化上限電位は、電源電位により安定化できる。
【００２５】
例えば操作部及びリモコン受信部１５１から例えばチャンネル切替信号が出力されたときに、ＯＳＤ信号発生回路１３１に対してＯＳＤ信号（例えばチャン番号映像信号）の出力のタイミング信号を与えている。ＯＳＤ信号発生回路１３１から出力されるＯＳＤ信号としては、チャン番号映像や各種の文字、図形などの信号、バー表示信号、メニュー画面を得るための映像信号などがある。ＯＳＤ信号のソースデータは、メーカー等で独自に開発されて映像データとしてメモリに格納されている。そして読出し時には、アナログ変換されてアナログのＯＳＤ信号として出力される。これは、従来のアナログテレビに対応させるためである。
【００２６】
しかし、このままでは最近の液晶表示パネル、プラズマディスプレイパネル（ＰＤＰ）等のデジタル表示装置のブレンド回路に供給することができない。そこで、本発明では上記したような構成とし安定した動作を得られるようにしたものである。
【００２７】
上記の図１の実施の形態では、分り易くするために輝度信号の系統として示したが、実際にはカラー表示装置用として構成される。
【００２８】
図３には、Ｒ、Ｇ，Ｂの信号処理系統を示している。図１の各ブロックと同じ部分には、図１と同じ符号を付している。すなわち、ブレンド回路１２７には、ＲＧＢ変換回路６１から出力されたデジタルカラー（赤）のＲ信号、デジタルカラー（緑）のＧ信号、及びデジタルカラー（青）のＢ信号が供給されている。Ｒ，Ｇ，Ｂ信号は、それぞれ対応するＲ用のブレンド回路１２Ｒ、Ｇ用のブレンド回路１２Ｇ，Ｂ用のブレンド回路１２Ｂに供給される。そしてブレンド回路１２７から出力されたＲ，Ｇ，Ｂ信号がカラーフラットディスプレイ２００に供給される。
【００２９】
またＲ用のブレンド回路１２Ｒ、Ｇ用のブレンド回路１２Ｇ，Ｂ用のブレンド回路１２Ｂには、Ｒ，Ｇ，ＢのＯＳＤ信号も供給される。ＲのＯＳＤ信号はアナログデジタル変換部１３２内の量子化部３２０Ｒから出力され、ＧのＯＳＤ信号は量子化部３２０Ｇから出力され、ＢのＯＳＤ信号は量子化部３２０Ｂから出力される。量子化部３２０Ｒ、量子化部３２０Ｇ及び量子化部３２０Ｂの内部は、それぞれ、図２で説明したように構成されている。ＯＳＤ信号発生回路１３１もＲ，Ｇ，ＢのＯＳＤ信号（この例ではアナログ信号）を出力することは勿論である。
【００３０】
上記した実施の形態では、ブレンド回路１２７は、独立してフラットパネルディスプレイ２００の外部に設けられるとして説明した。しかし、ブレンド回路１２７は、フラットパネルディスプレイ２００内の基板に設けられていてもよい。
【００３１】
すなわち、図４に示す様にブレンド回路１２７が、フラットパネルディスプレイ２００の基板に搭載されている。他の部分は、図３に示した構成と同じである。フラットパネルディスプレイの基板上には、表示素子アレイ領域、表示信号を取り込むための、信号レジスタ、及びレジスタの信号を走査線上のどこの画素に供給するかを決定するための走査回路が設けられている。
【００３２】
図５には、さらに別の実施の形態であり、ブレンド回路１２７と、ＡＤ変換部１３２とがフラットディスプレイ２００内の基板に搭載された例を示している。このような構成であっても本発明の範疇である。
【００３３】
図６には、ＡＤ変換部１３２とブレンド回路１２７との間にスイッチＳＷ１が設けられている実施形態である。基板上には、今まで説明した回路に加えて、デジタルＯＳＤ
信号発生回路９０１を取り付けるための端子（図示せず）が設けられている。デジタルＯＳＤ信号発生回路９０１から出力されるＯＳＤ信号は、ＡＤ変換する必要が無いためにブレンド回路１２７に直接供給してもよい。そこで、この発明では、バージョンアップなどにより、新しくデジタルＯＳＤ信号発生回路９０１が増設された場合の対策が講じられている。新しいデジタルＯＳＤ信号発生回路９０１が増設された場合、制御部５０は，スイッチＳＷ１を制御して、デジタルＯＳＤ信号発生回路９０１から出力される信号をブレンド回路１２７に導くことができる。制御回路１５０は、デジタルＯＳＤ信号発生回路９０１のみが使用されるときは、スイッチＳＷ１を制御して、デジタルＯＳＤ信号発生回路９０１とブレンド回路１２７を接続状態に設定する。しかし、デジタルＯＳＤ信号発生回路９０１とＯＳＤ信号発生回路１３１が併用されるときは、表示しようとするＯＳＤ内容に応じて、スイッチＳＷ１を制御する。また、ＯＳＤ信号発生回路１３１、ＡＤ変換部１３２が故障したときは、容易に新しいバージョンのデジタルＯＳＤ信号発生回路９０１を利用することが可能である。
【００３４】
図７には、制御部１５０がＯＳＤ信号発生回路１３１を制御するときのフローチャートを示している。リモートコントローラ１５２において、何らかの操作入力が有ったか否かの判定が行われる（ステップＡ１）。操作入力があれば、操作内容に応じて操作入力処理が実行される（例えば電源投入、チャンネル切替、番組選択、入力選択、音量変更、画質変更、アスペクト変更、メニュー表示選択等）（ステップＡ２）。このとき、ＯＳＤ信号の出力が必要かどうかの判断が行われる（ステップＡ３）。ＯＳＤ信号の出力が必要な場合は、ＯＳＤ信号発生回路の読出しアドレスを内蔵あるいは付加メモリ（ＲＯＭ）より出力し、ＯＳＤ信号発生回路１３１に供給する（ステップＡ４）。これによりディスプレイ上にＯＳＤ信号による映像が出力されることになる。上記のフローチャートにおいて、ＯＳＤ信号発製回路１３１の読出しアドレスは、操作内容（コード）に対応してテーブルに格納されている。ここで、このテーブル内容は、従来から、ＯＳＤ信号発生回路１３１に付随しているものをそのまま利用することができる。
【００３５】
なお、この発明は、上記実施形態そのままに限定されるものではなく、実施段階ではその要旨を逸脱しない範囲で構成要素を変形して具体化できる。
【図面の簡単な説明】
【００３６】
【図１】本発明の一実施の形態を示す構成図。
【図２】図１の一部を取り出してさらに詳しく示す構成図。
【図３】本発明の他の実施の形態を示す構成図。
【図４】本発明のまた他の実施の形態を示す構成図。
【図５】本発明のさらに他の実施の形態を示す構成図。
【図６】本発明のまた他の実施の形態を示す構成図。
【図７】本発明の実施例の制御部の動作例を説明するために示したフローチャート。
【符号の説明】
【００３７】
１２７…ブレンド回路、２００…フラットパネルディスプレイ、１３１…ＯＳＤ信号発生回路、１３２…ＤＡ変換器、４０…抵抗、１５０…制御部、１５１…操作部。
【図１】
2005341400.tif 000003
【図２】
2005341400.tif 000004
【図３】
2005341400.tif 000005
【図４】
2005341400.tif 000006
【図５】
2005341400.tif 000007
【図６】
2005341400.tif 000008
【図７】
2005341400.tif 000009